(57)【要約】【課題】大がかりな工事と手間を要さずとも、床に畳を敷設するだけで、床暖房機能を実現することができる畳暖房システムを提供することを目的としている。【解決手段】畳１は、畳本体１０と、畳本体１０内に埋設され、遠赤外線を放射する発熱体１３とで構成されているから、畳１より遠赤外線が放射されることとなる。それゆえ、このような畳１を床Ｆ上に複数敷設するだけで、大がかりな工事と手間を要さずとも、床暖房機能を実現することができる。【選択図】図２
2017128947.tif 000002
【特許請求の範囲】
【請求項１】
床上に複数の畳が敷設された畳暖房システムであって、
前記畳は、
畳本体と、
前記畳本体内に埋設され、遠赤外線を放射する発熱体と、を有してなる畳暖房システム。
【請求項２】
前記発熱体は、
断熱層と、
前記断熱層上に配置される電力が供給されることにより発熱する熱源層と、
前記熱源層上に配置される鋼板層と、
前記鋼板層上に配置される発熱によって遠赤外線を放射するセラミック層と、を有してなる請求項１に記載の畳暖房システム。
【請求項３】
前記熱源層の温度を所望温度に制御する制御部をさらに有してなる請求項２に記載の畳暖房システム。
【発明の詳細な説明】
【技術分野】
【０００１】
本発明は、畳を用いて床暖房機能を実現することができる畳暖房システムに関する。
【背景技術】
【０００２】
従来、居室に設置された床暖房端末に熱源機から熱媒を供給して床暖房を行う床暖房システムが知られている（例えば、特許文献１）。
【先行技術文献】
【特許文献】
【０００３】
【特許文献１】特開２００８−１４５４２号公報
【発明の概要】
【発明が解決しようとする課題】
【０００４】
しかしながら、上記のような床暖房システムは、大がかりな工事と手間を要するという問題があった。
【０００５】
そこで、本発明は、上記問題に鑑み、大がかりな工事と手間を要さずとも、床に畳を敷設するだけで、床暖房機能を実現することができる畳暖房システムを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、床（Ｆ）上に複数の畳（１）が敷設された畳暖房システムであって、
前記畳（１）は、
畳本体（１０）と、
前記畳本体（１０）内に埋設され、遠赤外線を放射する発熱体（１３）と、を有してなることを特徴としている。
【０００８】
そして、請求項２の発明によれば、上記請求項１に記載の畳暖房システムにおいて、
前記発熱体（１３）は、
断熱層（断熱材１３０）と、
前記断熱層（断熱材１３０）上に配置される電力が供給されることにより発熱する熱源層（電熱線１３１）と、
前記熱源層（電熱線１３１）上に配置される鋼板層（鋼板１３２）と、
前記鋼板層（鋼板１３２）上に配置される発熱によって遠赤外線を放射するセラミック層（セラミック１３３）と、を有してなることを特徴としている。
【０００９】
そしてさらに、請求項３の発明によれば、上記請求項２に記載の畳暖房システムにおいて、前記熱源層（電熱線１３１）の温度を所望温度に制御する制御部（２）をさらに有してなることを特徴としている。
【発明の効果】
【００１０】
次に、本発明の効果について、図面の参照符号を付して説明する。なお、括弧内は、後述する実施形態の参照符号を付したものであるが、本発明はこれに限定されるものではない。
【００１１】
請求項１に係る発明によれば、畳（１）内に遠赤外線を放射する発熱体（１３）が埋設されているから、畳（１）より遠赤外線が放射されることとなる。それゆえ、このような畳（１）を床（Ｆ）上に複数敷設するだけで、大がかりな工事と手間を要さずとも、床暖房機能を実現することができる。また、遠赤外線効果により、この畳（１）を使用する使用者の身体が芯から温められ、もって、血流が良くなり、健康促進を図ることが出来る。
【００１２】
さらに、請求項２に係る発明によれば、発熱体（１３）は、断熱層（断熱材１３０）と、その断熱層（断熱材１３０）上に電力が供給されることにより発熱する熱源層（電熱線１３１）が配置され、その熱源層（電熱線１３１）上に、発熱によって遠赤外線を放射するセラミック層（セラミック１３３）が配置された鋼板層（鋼板１３２）が配置されるという構成であることから、熱源層（電熱線１３１）に電力を供給するだけで、鋼板層（鋼板１３２）が温められ、もって、セラミック層（セラミック１３３）より遠赤外線が放射されることとなる。それゆえ、簡易な方法で、遠赤外線を放射させることができる。
【００１３】
一方、請求項３に係る発明によれば、熱源層（電熱線１３１）の温度は、制御部（２）によって、所望温度に維持されることとなるから、過熱して畳（１）が発火する恐れを低減させることができる。これにより、畳（１）の温度が所望温度に維持されるから、軽い掛け布団だけでも暖かく、もって、使用者は、ぐっすりと眠ることができる。また、起床後、所望温度を高く設定しておけば、その温度が維持されるため、３〜５時間程度で、畳（１）上に敷かれた敷布団がふかふかになると共に、ダニ退治もすることができる。
【図面の簡単な説明】
【００１４】
【図１】本発明の一実施形態に係る畳暖房システムの平面図である。
【図２】（ａ）は畳暖房システムの一部断面図、（ｂ）は（ａ）に示す発熱体の断面図である。
【図３】同実施形態に係る制御部にて、電熱線の温度を所望温度に維持するための処理を説明したフローチャート図である。
【発明を実施するための形態】
【００１５】
以下、本発明に係る畳暖房システムの一実施形態を、図１〜図３を参照して具体的に説明する。なお、以下の説明において、上下左右の方向を示す場合は、図示正面から見た場合の上下左右をいうものとする。
【００１６】
図１に示すように、本実施形態に係る畳暖房システムＤＳは、複数の畳１と、制御部２とで主に構成されている。これら畳１は、図２（ａ）に示すように、床Ｆに敷設されている。畳１は、図２（ａ）に示すように、床Ｆに向うにつれ尻窄まり状のテーパが形成されている断面逆台形状の畳本体１０を有している。この畳本体１０は、図２（ａ）に示すように、畳床１１と、畳表１２と、発熱体１３とで構成されている。畳床１１は、図２（ａ）に示すように、床Ｆに向うにつれ尻窄まり状のテーパが形成されている断面逆台形状に形成され、稲わらを編んだもの、木板とクッション材を積層したもの、合成樹脂製の発泡体等を用いて形成されている。なお、発泡体としては、ポリウレタン、ＥＶＡ、架橋ポリエチレン、ポリプロピレン、ポリエチレン等の発泡体や、ウレタンフォームや発泡スチロール等が用いられる。
【００１７】
一方、畳表１２は、図２（ａ）に示すように、床Ｆに向うにつれ尻窄まり状のテーパが形成されている断面逆台形状に形成され、横糸状物として天然のイグサ、あるいは、和紙、熱可塑性樹脂製の糸状物からなるいわゆる模造イグサ等を用いて形成されている。
【００１８】
かくして、このように形成される畳床１１には、図２（ａ）に示すように、畳床１１の上面に形成されている凹部１１ａ内に遠赤外線を放射する発熱体１３が埋設されている。そして、このように発熱体１３が埋設されている畳床１１の上面を覆うように畳表１２が畳床１１の上面に配置され、麻糸等により縫着される。これにより、畳本体１０が形成されることとなる。
【００１９】
発熱体１３は、図２（ｂ）に示すように、断面矩形状に形成され、複数の層で形成されている。この複数の層のうち、最下層には、アルミナ、窒化ケイ素、ジルコニア等のセラミックやセラミックファイバーモールド等で形成される断熱材１３０が配置され、その上面には、特殊合金等からなるコイル状に形成された電熱線１３１が配置されている。そして、その電熱線１３１の上面には、ガルバリウム鋼板などの耐候性、耐食性に優れた鋼板１３２が配置され、その上面には、遠赤外線を放射するセラミック１３３が塗布されている。
【００２０】
かくして、このように形成される発熱体１３には、図２（ａ）に示すように、家庭用の１００Ｖ電源から電力が供給される電力供給線３が接続されている。より詳しくは、図２（ｂ）に示すように、発熱体１３の電熱線１３１に電力供給線３が接続されている。これにより、電熱線１３１に、電力供給線３を介して、家庭用の１００Ｖ電源から電力が供給されることとなり、もって、電熱線１３１が発熱することとなる。電熱線１３１が発熱すると、電熱線１３１の上面に配置されている鋼板１３２が温められ、もって、その鋼板１３２の上面に塗布されているセラミック１３３より遠赤外線が放射されることとなる。
【００２１】
しかして、このように、発熱体１３より遠赤外線が放射されると、この発熱体１３が畳床１１に埋設されているから、畳本体１０（畳表１２）の上面より遠赤外線が放射されることとなり、もって、畳１が温められることとなる。これにより、畳が持つ元来の機能である保温性を向上させることができる。
【００２２】
かくして、このような発熱体１３が埋設された畳１を、図２（ａ）に示すように、床Ｆに敷設するにあたっては、畳１の電熱線１３１に接続されている電力供給線３同士を結線した上で、床Ｆに複数の畳１を敷設する。これにより、全ての畳１の電熱線１３１に電力供給線３を介して家庭用の１００Ｖ電源から電力が供給されることとなる。なお、畳１の電熱線１３１に接続されている電力供給線３同士を結線するにあたっては、図２（ａ）に示すように、畳１は、床Ｆに向うにつれ尻窄まり状のテーパが形成されている断面逆台形状の畳本体１０を有してなるから、床Ｆに畳１を敷設した際、畳１同士の間に僅かな隙間Ｋが形成されることとなる。それゆえ、この隙間Ｋを利用して電熱線１３１に接続されている電力供給線３同士を結線していけば良い。
【００２３】
ところで、発熱体１３の電熱線１３１には、図２（ｂ）に示すように、電熱線１３１の温度を検知する温度センサ１３１ａが組み込まれている。この温度センサ１３１ａにて検知された温度データは、図２（ｂ）に示すように、制御部２に出力される。制御部２は、この温度データを受けて、発熱体１３の温度、すなわち、電熱線１３１の温度を管理することとなる。
【００２４】
制御部２は、図１に示すように、床Ｆ（図２（ａ）参照）に敷設されている畳１の右下側に配置され、電力供給線３が接続されている。そして、この制御部２は、１５℃〜６０℃の１０段階で温度設定が出来るようになっている。すなわち、１段階目が１５℃、２段階目が２０℃、３段階目が３０℃、というように、５℃刻みで温度を設定できるようになっている。
【００２５】
かくして、このように形成される制御部２は、電力供給線３を介して、家庭用の１００Ｖ電源から電力が供給されると、図３に示すように、まず、温度センサ１３１ａ（図２（ｂ）参照）にて検知された温度データを受信する（ステップＳ１）。
【００２６】
次いで、制御部２は、１５℃〜６０℃の１０段階の温度設定のうち、使用者が例えば、４０℃に温度設定していた場合、所望温度である４０℃に達したか否かを確認する（ステップＳ２）。所望温度（例えば、４０℃）に達していなければ（ステップＳ２：ＮＯ）、再びステップＳ１の処理に戻り、所望温度（例えば、４０℃）に達するまで、ステップＳ１〜Ｓ２の処理を繰り返す。
【００２７】
一方、所望温度（例えば、４０℃）に達すれば（ステップＳ２：ＹＥＳ）、制御部２は、その所望温度（例えば、４０℃）が維持されるよう、電熱線１３１に流れる電流値を制御する（ステップＳ３）。これにより、電熱線１３１の温度が所望温度（例えば、４０℃）で維持されることとなる。
【００２８】
しかして、以上説明した本実施形態によれば、畳１内に遠赤外線を放射する発熱体１３が埋設されているから、畳１より遠赤外線が放射されることとなる。それゆえ、このような畳１を床Ｆ上に複数敷設するだけで、大がかりな工事と手間を要さずとも、床暖房機能を実現することができる。また、遠赤外線効果により、この畳を使用する使用者の身体が芯から温められ、もって、血流が良くなり、健康促進を図ることが出来る。
【００２９】
さらに、発熱体１３は、断熱材１３０と、その断熱材１３０上に電力が供給されることにより発熱する電熱線１３１が配置され、その電熱線１３１上に、遠赤外線を放射するセラミック１３３が塗布された鋼板１３２が配置されるという構成であることから、電熱線１３１に電力を供給するだけで、鋼板１３２が温められ、もって、セラミック１３３より遠赤外線が放射されることとなる。それゆえ、簡易な方法で、遠赤外線を放射させることができる。
【００３０】
一方、電熱線１３１の温度は、制御部２によって、所望温度に維持されることとなるから、過熱して畳１が発火する恐れを低減させることができる。これにより、畳１の温度が所望温度に維持されるから、軽い掛け布団だけでも暖かく、もって、使用者は、ぐっすりと眠ることができる。また、起床後、所望温度を高く設定しておけば、その温度が維持されるため、３〜５時間程度で、畳１上に敷かれた敷布団がふかふかになると共に、ダニ退治もすることもできる。
【００３１】
なお、本実施形態においては、全ての畳１に発熱体１３を埋設する例を示したが、それに限らず、発熱体１３が埋設されている畳１と、発熱体１３が埋設されていない畳を混在させて床Ｆに敷設するようにしても良い。
【００３２】
また、制御部２に切り替え機能を設けて、床Ｆ（図２（ａ）参照）に敷設されている複数の畳１（図１参照）のうち、右半分又は下半分だけ温めたり、左半分又は上半分だけ温めたりというように、温める箇所を切り替えられるようにしても良い。
【００３３】
他方、本実施形態において説明した畳１は、あくまで一例であり、発熱体１３を埋設できるのであれば、どのような畳の構成でも良い。
【符号の説明】
【００３４】
ＤＳ            畳暖房システム
Ｆ              床
１              畳
２              制御部
１０            畳本体
１３            発熱体
１３０          断熱材（断熱層）
１３１          電熱線（熱源層）
１３２          鋼板（鋼板層）
１３３          セラミック（セラミック層）
【図１】
2017128947.tif 000003
【図２】
2017128947.tif 000004
【図３】
2017128947.tif 000005